(57)【要約】      （修正有）【課題】洗面器又は湯桶を適当な高さで支持し、洗面器又は湯桶が落下してしまうことを防ぐと共に、低コストで利用できる洗面器・湯桶載置具を提供する。【解決手段】洗面器・湯桶載置具１には、洗面器Ｍ１を載置する載置部１０と、載置部１０から突出し、載置される洗面器の底部周辺の全部または一部を覆うように設けられた突起部１２とが形成されている。載置部には、載置部を貫通するよう設けられた水抜き穴１３が形成されている。【選択図】図１
0003201485.tif 000002
【実用新案登録請求の範囲】
【請求項１】
洗面器又は湯桶を載置する載置部と、
この載置部から突出し、載置される洗面器又は湯桶の底部周辺の全部または一部を覆うように設けられた突起部と、
を有することを特徴とする洗面器・湯桶載置具。
【請求項２】
前記載置部を貫通するよう設けられた水抜き穴を有することを特徴とする請求項１記載の洗面器・湯桶載置具。
【考案の詳細な説明】
【技術分野】
【０００１】
本考案は、洗面器又は湯桶を載置するための洗面器・湯桶載置具に関する。
【背景技術】
【０００２】
一般に、浴室の洗い場では、入浴者が顔や体を洗う際には、図３（Ａ）に示すように、床面に浴室用座椅子Ｍ４を置いて座ると共に、洗面器Ｍ３を置きお湯を入れて使用する。この場合、床面は平坦であるので、洗面器Ｍ３は、床面に直接置かれており、入浴者が浴室用座椅子Ｍ４に座ったまま洗面器Ｍ３を利用しようとすると、大きく前かがみにならなければならない。このように大きく前かがみになると、動作がしにくくなると共に、頭部を蛇口等にぶつけたり、あるいは腰痛が生じてしまう恐れがある。
【０００３】
そこで、浴室の洗い場に、洗面器を置くための置き台部を設けることが提案されている（例えば、特許文献１参照）。
【先行技術文献】
【特許文献】
【０００４】
【特許文献１】実用新案登録第２５３５５０２号公報
【考案の概要】
【考案が解決しようとする課題】
【０００５】
しかしながら、浴室の洗い場に置き台部を設けるには、費用が高くなってしまうという問題があった。また、洗面器を浴室用座椅子等の上に載置することも考えられるが、目をつぶったまま顔等を洗っていると、誤ってぶつかってしまい洗面器が落下してしまう場合もあるという問題があった。
【０００６】
本考案は、このような問題に基づきなされたものであり、洗面器又は湯桶を適当な高さで支持し、誤ってぶつかってしまうことにより、洗面器又は湯桶が落下してしまうことを防ぐと共に、低コストで利用できる洗面器・湯桶載置具を提供することを目的とする。
【課題を解決するための手段】
【０００７】
本考案の洗面器・湯桶載置具は、洗面器又は湯桶を載置する載置部と、この載置部から突出し、載置される洗面器又は湯桶の底部周辺の全部または一部を覆うように設けられた突起部とを有するものである。
【考案の効果】
【０００８】
本考案によれば、載置部から突出し、載置される洗面器又は湯桶の底部周辺の全部または一部を覆うように突起部を設けるようにしたので、洗面器又は湯桶を固定することができ、落下を防止することができる。また、例えば、この洗面器・湯桶載置具が適度な高さを有するようにしたり、あるいは、適度な高さの台等に載置することにより、洗面器又は湯桶を適当な高さに支持することができる。更に、移動したりすることができるので、浴室の洗い場に特殊な置き台部等を設置する必要がなく、低コストで利用することができる。
【０００９】
加えて、載置部を貫通するように水抜き穴を設けるようにすれば、載置部にお湯が溜まりにくくなり、乾燥しやすく、清潔に保つことができる。
【図面の簡単な説明】
【００１０】
【図１】本考案の一実施の形態に係る洗面器・湯桶載置具の構成を表す図である。
【図２】本考案の一実施の形態に係る洗面器・湯桶載置具の浴室における使用例を表す図である。
【図３】（Ａ）は、従来の浴室における洗面器の使用例を表す図であり、（Ｂ）は、本考案の一実施の形態に係る洗面器・湯桶載置具を使用した場合の洗面器の使用例を表す図である。
【図４】本考案の一実施の形態に係る洗面器・湯桶載置具の構成を表す他の図である。
【図５】本考案の一実施の形態に係る洗面器・湯桶載置具の構成を表す更に他の図である。
【考案を実施するための形態】
【００１１】
以下、本考案の実施の形態について、図面を参照して詳細に説明する。
【００１２】
図１は、本考案の一の実施の形態に係る洗面器・湯桶載置具１の構成を表すものであり、図２は、洗面器・湯桶載置具１の浴室における使用例を表すものである。この洗面器・湯桶載置具１は、例えば、洗面器Ｍ１を載置する平坦な載置部１０と、この載置部１０を支える脚部１１とを有している。載置部１０は、例えば、洗面器Ｍ１の底部の形状が円である場合には、この形状に合わせて円としてもよい。その際、載置部１０の大きさは、洗面器Ｍ１を載置できる大きさであればよく、通常の洗面器の大きさであれば、直径が２０ｃｍ以上２５ｃｍ以下程度であることが好ましい。なお、載置部１０の形状は、洗面器Ｍ１を載置できればよいので、円に限らず、楕円形や長方形などであってもよく、また、載置部１０の幅は、２０ｃｍ以上２５ｃｍ以下程度あることが好ましい。脚部１１の形状は、例えば、載置部１０の下側全面を覆うように形成されていてもよく、複数に分かれて支持するように形成されていてもよい。なお、図１及び図２では、洗面器Ｍ１を載置する場合について記載されているが、湯桶であってもよい。
【００１３】
洗面器・湯桶載置具１の高さは、１０ｃｍ以上３０ｃｍ以下であることが好ましい。図３（Ｂ）に示すように、洗面器・湯桶載置具１に洗面器Ｍ１を載置すると、入浴者が浴室用座椅子Ｍ２に座ったまま洗面器Ｍ１を利用しても、大きく前かがみになる必要がないので、動作がしやすく、また、頭部を蛇口等にぶつけたり、あるいは腰痛が生じてしまう恐れが少なくなるからである。
【００１４】
洗面器・湯桶載置具１には、また、載置部１０から突出し、載置される洗面器Ｍ１の底部周辺の全部または一部を覆うように設けられた突起部１２が設けられている。これにより、洗面器Ｍ１を載置部１０に固定することができ、洗面器Ｍ１の落下を防止することができるようになっている。なお、図１および図２では、突起部１２は、載置される洗面器Ｍ１の底部周辺の全部を覆うように記載されているがこれに限定されるものではない。突起部１２は、載置される洗面器Ｍ１の落下を防止することができればよく、例えば、載置される洗面器Ｍ１の底部周辺の７０％以上を覆うように形成されていることが好ましい。なお、突起部１２は、複数に分割されて形成されていてもよい。
【００１５】
載置部１０は、また、載置部１０を貫通するよう設けられた水抜き穴１３を有していることが好ましい。載置１０にお湯が溜まりにくくなり、乾燥しやすく、清潔に保つことができるからである。
【００１６】
このように本実施の形態の洗面器・湯桶載置具１によれば、載置部１０から突出し、載置される洗面器Ｍ１の底部周辺の全部または一部を覆うように突起部１２を設けるようにしたので、洗面器Ｍ１を固定することができ、落下を防止することができる。また、例えば、この洗面器・湯桶載置具１を適度な高さを有するようにすれば、洗面器Ｍ１を適当な高さに支持することができ、入浴者が浴室用座椅子Ｍ２に座ったまま洗面器Ｍ１を利用しても、大きく前かがみになる必要がないので、動作がしやすく、また、頭部を蛇口等にぶつけたり、あるいは腰痛が生じてしまう恐れを少なくすることができる。更に、移動したりすることができるので、浴室の洗い場に特殊な置き台部等を設置する必要がなく、低コストで利用することができる。
【００１７】
加えて、載置部１０を貫通するように水抜き穴１３を設けるようにすれば、載置部１０にお湯が溜まりにくくなり、乾燥しやすく、清潔に保つことができる。
【００１８】
図４は、本実施の形態に係る洗面器・湯桶載置具１の変形例を表すものである。この洗面器・湯桶載置具１は、突起部１２を除いて、浴室用座椅子Ｍ２と同様の形状を有している。これにより、使用しないときには、浴室用座椅子Ｍ２に洗面器・湯桶載置具１を重ねることができ、場所を取らずに整頓して置いておくことができるようになっている。
【００１９】
図５は、本実施の形態に係る洗面器・湯桶載置具１の他の変形例を表すものである。この洗面器・湯桶載置具１は、上述した洗面器・湯桶載置具１における脚部１１がないものであり、例えば、シート状に形成されたものである。この洗面器・湯桶載置具１は、例えば、浴室用座椅子Ｍ２、あるいは適当な台等に載置して使用することができるようになっている。この洗面器・湯桶載置具１は、例えば、ゴム等の材料により構成されており、また、底部に凹凸加工がされており、浴室用座椅子Ｍ２、あるいは適当な台等に載置した際に滑りにくくなっている。
【００２０】
以上、実施の形態を挙げて本発明を説明したが、本発明は上記実施の形態に限定されるものではなく、種々変形可能である。なお、洗面器に代えて湯桶を用いた場合にでも、同様の効果が得られる。
【産業上の利用可能性】
【００２１】
浴室において、洗面器又は湯桶を載置する載置具として適用することができる。
【符号の説明】
【００２２】
１…洗面器・湯桶載置具、１０…載置部、１１…脚部、１２…突起部、１３…水抜き穴、Ｍ１，Ｍ３…洗面器、Ｍ２，Ｍ４…浴室用座椅子
【図１】
0003201485.tif 000003
【図２】
0003201485.tif 000004
【図３】
0003201485.tif 000005
【図４】
0003201485.tif 000006
【図５】
0003201485.tif 000007